(57)【要約】      （修正有）【課題】容易に折り畳むことができ、且つ折畳状態と展開状態のいずれでも使用できる折畳足を備える家具を提供する。【解決手段】折畳足を備える家具と足接続装置１２、１３に関わり、前記折畳足は家具本体１５の底部に設置される前方足部材１と後方足部材２を備える。前記前方足部材１と前記後方足部材２は、第１ロック位置と少なくとも一つの第２ロック位置まで対向して折り畳むことができる。前記第１ロック位置において、前記前方足部材１と後方足部材２が前記家具本体１５の底部に折り畳まされ且つ同じ平面に位置され、前記少なくとも一つの第２ロック位置において、前記前方足部材１と前記後方足部材２が前記家具本体１５の底部との間にそれぞれに所定角度になる。【選択図】図９
0003198421.tif 000002
【実用新案登録請求の範囲】
【請求項１】
折畳足を備える家具（１００）であって、
前記折畳足は、家具本体（１５）の底部に設置される前方足部材（１）と後方足部材（２）とを備え、
前記前方足部材（１）と前記後方足部材（２）とは、互いに対向して、第１ロック位置と、少なくとも一つの第２ロック位置まで、折り畳むことができ、
前記第１ロック位置において、前記前方足部材（１）と前記後方足部材（２）は前記家具本体（１５）の底部に折り畳まれ、且つ同じ平面に位置し、
前記少なくとも一つの第２ロック位置において、前記前方足部材（１）と前記後方足部材（２）とは、それぞれが前記家具本体（１５）の底部と所定角度をなすことを特徴とする折畳足を備える家具（１００）。
【請求項２】
前記前方足部材（１）は、二つの前方足（１２）と、前記二つの前方足（１２）を接続する前方足リンク（１４）と、前記前方足（１２）を前記底部に接続するための足接続装置（１３）と、を含み、
前記後方足部材（２）は、二つの後方足（２４）と、前記二つの後方足（２４）接続する後方足リンク（２２）と、前記後方足（２４）を前記底部に接続するための足接続装置（２３）とを含むことを特徴とする請求項１に記載の家具（１００）。
【請求項３】
前記足接続装置（１３、２３）は、前記前方足（１２）又は前記後方足（２４）に接続されて固定される第１固定部（１３１，２３１）と、前記家具本体（１５）の底部に固定される第２固定部（１３７、２３７）と、を含み、
前記第１固定部（１３１，２３１）と前記第２固定部（１３７、２３７）とには、それぞれピボット（１３６，２３６）を挿通するための第１孔（１３９、２３９）と第２孔（１４０、２４０）とが形成されており、
前記第２固定部（１３７、２３７）と前記第１固定部（１３１，２３１）は、ピボット（１３６，２３６）を軸に回転されることにより、前記前方足部材（１）と前記後方足部材（２）は前記第１ロック位置と前記第２ロック位置にロックされることを特徴とする請求項２に記載の家具（１００）。
【請求項４】
前記足接続装置（１３、２３）は位置決めレバー（１３２、２３２）が更に設けられ、前記位置決めレバー（１３２、２３２）はスプリング（１３５、２３５）を介して前記ピボット（１３６，２３６）と接続し、
前記第１固定部（１３１，２３１）に長孔（１４１、２４１）が設けられ、
前記位置決めレバー（１３２、２３２）は前記長孔（１４１、２４１）を挿通しており、前記第１固定部（１３１，２３１）と前記第２固定部（１３７、２３７）の回転動作に応じて、前記長孔（１４１、２４１）内を移動可能であり、
前記第２固定部（１３７、２３７）は、前記第１ロック位置と前記第２ロック位置に対応する複数のロック部（１４２、１４３、２４２、２４３）が設けられ、前記位置決めレバー（１３２、２３２）は、前記スプリング（１３５、２３５）に引っ張られ、前記複数のロック部（１４２、１４３、２４２、２４３）のいずれか一つに位置することを特徴とする請求項３に記載の家具（１００）。
【請求項５】
前記後方足リンク（２２）は、前記前方足リンク（１４）より長く、
前記後方足リンク（２２）は、前記後方足（２４）の前記後方足部材（２）が前記第１ロック位置に位置する時に、前記家具本体（１５）の底部に近い側に設置されることを特徴とする請求項３に記載の家具（１００）。
【請求項６】
前記後方足（２４）は、前記前方足（１２）より長く、
前記第２ロック位置において、前記前方足部材（１）と前記家具本体（１５）の底部との間の角度は、前記後方足部材（２）と前記家具本体（１５）の底部の間の角度より大きいことを特徴とする請求項３に記載の家具（１００）。
【請求項７】
前記前方足（１２）と前記後方足（２４）の床と接触する部分にそれぞれに足カバー（１１、２１）が設けられていることを特徴とする請求項３に記載の家具（１００）。
【請求項８】
前記家具（１００）はソファーであることを特徴とする請求項１〜７のいずれか一項に記載の家具（１００）。
【請求項９】
折畳足を備える家具（１００）に用いられる足接続装置（１３、２３）であって、
前記家具（１００）において、
前記折畳足は、家具本体（１５）の底部に設置される前方足部材（１）と後方足部材（２）を備え、
前記前方足部材（１）と後方足部材（２）は、互いに対向して、第１ロック位置と、少なくとも一つの第２ロック位置まで、折り畳むことができ、
前記第１ロック位置において、前記前方足部材（１）と後方足部材（２）は前記家具本体（１５）の底部に折り畳まれ、且つ同じ平面に位置し、
前記少なくとも一つの第２ロック位置において、前記前方足部材（１）と前記後方足部材（２）は、それぞれが前記家具本体（１５）の底部と所定角度をなし、
前記前方足部材（１）は、二つの前方足（１２）と、前記二つの前方足（１２）を接続する前方足リンク（１４）と、前記前方足（１２）を前記底部に接続するための前記足接続装置（１３）と、を含み、
前記後方足部材（２）は、二つの後方足（２４）と、前記二つの後方足（２４）を接続する後方足リンク（２２）と、前記後方足（２４）を前記底部に接続するための前記足接続装置（２３）と、を含み、
前記足接続装置（１３、２３）は、
前記前方足（１２）又は前記後方足（２４）に接続されて固定される第１固定部（１３１、２３１）と、
前記家具本体（１５）の底部に固定される第２固定部（１３７、２３７）と
を含み、
前記第１固定部（１３１、２３１）と前記第２固定部（１３７、２３７）には、それぞれピボット（１３６，２３６）を挿通するための第１孔（１３９、２３９）と第２孔（１４０、２４０）とが形成されており、
前記第２固定部（１３７、２３７）と前記第１固定部（１３１、２３１）は、ピボット（１３６、２３６）を軸に回転されることにより、前記前方足部材（１）と前記後方足部材（２）は、前記第１ロック位置と前記第２ロック位置にロックされることを特徴とする家具（１００）に用いられる足接続装置（１２、１３）。
【考案の詳細な説明】
【技術分野】
【０００１】
本考案は折畳足を備える家具及び足接続装置に関わり、具体的には、折畳状態と展開状態のいずれにも使用できる折畳足を備える家具、及びこの家具に使用される足接続装置に関する。
【背景技術】
【０００２】
生活レベルが向上するにしたがって、住まいの品質や生活用品の個性化と多様化がより要求されるようになってきた。例えば、高いソファーを好む人がいれば、低いソファーを好む人もいる。幼児がいる家庭では、幼児の安全を確保するために、幼児がソファーから落ちても怪我をしないように、できるだけ低いソファーや他の家具を選ぶ傾向がある。単身の若者や子供のいない若い夫婦は、ベランダに低いソファーを置きたい人が多く、一方、老人のいる家庭では、老人が座りやすく、立ち上がりやすくするために、高いソファーを選ぶ傾向がある。また、使用時間の経過につれて、住まいのデザインを変えたい時に、ソファーの高さを変えることもある。
【０００３】
しかし、従来の家具は、高さの調整できるものが少ない。また、折畳足を備えるソファーがあっても、操作しにくく、折畳の目的は、使用ではなく、専らスペースの節約である。即ち、従来の折畳足を備える家具は、折畳足が折り畳まれた状態で使用できない。
【考案の概要】
【考案が解決しようとする課題】
【０００４】
本考案は上記従来の問題点を鑑みてなされ、容易に折り畳むことができ、且つ折畳状態と展開状態のいずれでも使用できる折畳足を備える家具を提供することを目的とする。
【０００５】
本考案の第一側面によれば、本考案に係る折畳足を備える家具は、前記折畳足が家具本体の底部に設置される前方足部材と後方足部材とを備える。前記前方足部材と後方足部材とは、互いに対向して、第１ロック位置と、少なくとも一つの第２ロック位置まで、折り畳むことができる。前記第１ロック位置において、前記前方足部材と後方足部材は前記家具本体の底部に折り畳まされ、且つ同じ平面に位置する。前記少なくとも一つの第２ロック位置において、前記前方足部材と前記後方足部材とは、それぞれ、前記家具本体の底部と所定角度をなす。
【０００６】
好ましくは、前記前方足部材は、二つの前方足と、前記二つの前方足を接続する前方足リンクと、前記前方足を前記底部に接続するための足接続装置と、を含み、前記後方足部材は、二つの後方足と、前記二つの後方足接続する後方足リンクと、前記後方足を前記底部に接続するための足接続装置と、を含む。
【０００７】
好ましくは、前記足接続装置は、前記前方足又は前記後方足に接続されて固定される第１固定部と、前記家具本体の底部に固定される第２固定部とを含み、前記第１固定部と前記第２固定部とには、それぞれピボットを挿通するための第１孔と第２孔が形成され、前記第２固定部と前記第１固定部は前記ピボットを軸に回転されることにより、前記前方足部材と前記後方足部材が前記第１ロック位置と前記第２ロック位置にロックされる。
【０００８】
好ましくは、前記足接続装置は位置決めレバーが更に設けられ、前記位置決めレバーはスプリングを介して前記ピボットと接続し、前記第１固定部に長孔が設けられ、前記位置決めレバーは前記長孔を挿通し前記第１固定部と前記第２固定部の回転動作に応じて、前記長孔内を移動することができる。前記第２固定部は、前記第１ロック位置と前記第２ロック位置に対応する複数のロック部が設けられ、前記位置決めレバーは、前記スプリングに引っ張られ、前記複数のロック部のいずれか一つに位置する。
【０００９】
好ましくは、前記後方足リンクは、前記前方足リンクより長く、前記後方足の前記後方足部材が前記第１ロック位置に位置する時に、前記家具本体の底部に近い側に設置される。
【００１０】
好ましくは、前記後方足は、前記前方足より長く、前記第２ロック位置において、前記前足部材と前記家具本体の底部との間の角度は、前記後方足部材と前記家具本体の底部の間の角度より大きい。好ましくは、前記前方足と前記後方足の床と接触する部分のそれぞれに足カバーが設けられている。好ましくは、前記折畳足を備える前記家具はソファーである。
【００１１】
本考案の第二側面によれば、折畳足を備える家具に用いられる足接続装置であって、前記家具において、前記折畳足は家具本体の底部に設置される前方足部材と後方足部材を備える。前記前方足部材と後方足部材は、互いに対向して、第１ロック位置と、少なくとも一つの第２ロック位置まで、折り畳むことができる。前記第１ロック位置において、前記前方足部材と後方足部材は前記家具本体の底部に折り畳まされ、且つ同じ平面に位置する。前記少なくとも一つの第２ロック位置において、前記前方足部材と前記後方足部材は、それぞれが前記家具本体の底部と所定角度をなす。前記前方足部材は、二つの前方足と、前記二つの前方足を接続する前方足リンクと、前記前方足を前記底部に接続するための足接続装置と、を含み、前記後方足部材は、二つの後方足と、前記二つの後方足を接続する後方足リンクと、前記後方足を前記底部に接続するための前記足接続装置と、を含む。前記足接続装置は、前記前方足又は前記後方足に接続されて固定される第１固定部と、前記家具本体の底部に固定される第２固定部とを含み、前記第１固定部と前記第２固定部とには、それぞれピボットを挿通するための第１孔と第２孔が形成され、前記第２固定部と前記第１固定部は、前記ピボットを軸に回転されることにより、前記前方足部材と前記後方足部材は、前記第１ロック位置と前記第２ロック位置にロックされる。
【考案の効果】
【００１２】
本考案によれば、折畳足を備える家具の高さを便利に調整でき、折畳状態と展開状態のいずれにも使用でき、折畳状態で折畳足が占めるスペースを少なくできる。また、幼児又は老人のいる家庭においても、家具の高さを便利に調整できる。例えば、幼児の安全から家具の高さを最も低くまで下げるように、折畳足を家具の底部に折り畳むことができ、老人が使用しやすくするために、家具の高さを上げるように、折畳足を展開することができる。また、ユーザーそれぞれの習慣と好みに併せて、折畳足を開け、いずれか一つの第２ロック位置にセットすることにより、ソファーの高さを微調整することができる。
【図面の簡単な説明】
【００１３】
【図１】図１は本考案の実施形態に係る家具の斜視図である。
【図２】図２は本考案の実施形態に係る折畳足の構成図である。
【図３】図３は本考案の実施形態に係る前方足部材の分解斜視図である。
【図４】図４は本考案の実施形態に係る後方足部材の分解斜視図である。
【図５】図５は本考案の実施形態に係る前方足接続装置の分解斜視図である。
【図６】図６は本考案の実施形態に係る後方足接続装置の分解斜視図である。
【図７】図７は本考案の実施形態に係る足接続装置の第１ロック位置に対応する状態の正面図と斜視図である。
【図８】図８は本考案の実施形態に係る足接続装置は第２ロック位置に対応する状態の正面図と斜視図である。
【図９】図９は本考案の実施形態に係る折畳足が第１ロック位置にセットされる場合の概略図である。
【図１０】図１０（Ａ）〜図１０（Ｄ）はソファーの動作を説明する図である。
【考案を実施するための形態】
【００１４】
以下、図面を参照しながら、本考案の折畳足を備える家具及び足接続装置の構成を詳しく説明する。ここで、ソファーを例として説明する。
【００１５】
図１は本考案の実施形態に係る家具の斜視図である。図１に示すように、本実施形態に係るソファー１００はソファー本体１５と、ソファー本体１５の底部に設置される折畳足とを備える。折畳足は、前方足部材１と、後方足部材２（図１には図示されていない）と、前方足部材１と後方足部材２をソファー本体１５の底部に接続する足接続装置（図１には図示されていない）と、を備える。
【００１６】
図２は本考案の実施形態に係る折畳足の構成図である。図２に示すように、本考案の実施形態に係る折畳足は、前方足部材１と後方足部材２を備え、前方足部材１は、二つの前方足１２と、二つの前方足１２を接続する前方足リンク１４と、前方足接続装置１３と、を含む。後方足部材２は、二つの後方足２４と、二つの後方足２４を接続する後方足リンク２２と、後方足接続装置２３と、を含む。
【００１７】
以下、図３と図４を参照し、本考案に係る前方足部材１と後方足部材２の構成を詳しく説明する。図３は本考案の実施形態に係る前方足部材の分解斜視図である。図３に示すように、前方足部材１は、二つの前方足１２と、前方足リンク１４と、二つの前方足接続装置１３と、二つの足カバー１１とを含む。前方足１２は、前方足リンク１４と共に、ソファー本体１５を支える。
【００１８】
前方足接続装置１３は、前方足部材１をソファー本体１５の底部に接続する。足カバー１１は、好ましくは、ゴム材料により構成され、前方足１２の端部に取り付けられる。折畳足が第２ロック位置にセットされたときに、足カバー１１は滑り止めと摩耗防止機能を発揮し、折畳足が第１ロック位置にセットされた場合に、足カバー１１はソファー本体１５を支え、折畳足が床に直接接触することを避けることができる。
【００１９】
図４は本考案の実施形態に係る後方足部材の分解斜視図である。図４に示すように、後方足部材２は、二つの後方足２４と、後方足リンク２２と、二つの後方足接続装置２３と、二つの足カバー２１とを含む。
【００２０】
後方足２４は、後方足リンク２２と共に、ソファー本体１５を支える。後方足接続装置２３は、後方足部材２をソファー本体１５の底部に接続する。足カバー２１は、好ましくは、ゴム材料により構成され、後方足２４の端部に取り付けられている。折畳足が展開されたときに、足カバー２１は滑り止めと摩耗防止機能を発揮し、折畳足が第１ロック位置にセットされるときに、足カバー２１はソファー本体１５を支え、折畳足が床に直接接触することを避けることができる。
【００２１】
スペースを節約するため、例えば、図３と図４に示すように、前方足リンク１４は、２つの前方足１２同士の中央当たりに取り付けられ、前方足１２と同じ平面に位置させる。一方、後方足リンク２２は、後方足２４の一方の側表面に取り付けられ、後方足２４と同じ平面にないようにする。例えば、先に後方足部材２を折り畳むときに、後方足リンク２２は、後方足２４のソファー本体１５の底部に近い側に取り付けられる。もちろん、先に前方足部材１を折り畳み、後方足リンク２２は、後方足２４のソファー本体１５の底部に遠い側に取り付けてもよい。このような配置により、折畳足を折り畳む時に、後方足リンク２２と前方足１２が互いに邪魔せず、スペースを十分に利用できる。
【００２２】
一般的に、ソファー１００は背凭れを有するため、後方足部材２で支える重量は前方足部材１で支える重量よりも大きい。そこで、本考案において、後方足リンク２２は前方足リンク１４より長く、即ち、後方足部材２は前方足部材１より幅を広く設定している。また、ソファー１００をより安定させるため、後方足２４を前方足１２よりも長く設定している。
【００２３】
本考案のソファー１００は、前方足部材１と後方足部材２は互いに対向して折り畳まれる。即ち、足を折畳したいときに、前方足部材１を後方足部材２の方向へ折り畳み、後方足部材２を前方足部材１の方向へ折り畳む。一方、足を展開したいときに、前方足部材１を後方足部材２から遠ざかる方向へ開き、後方足部材２を前方足部材１から遠ざかる方向へ開く。
【００２４】
以下、図５と図６を参照し、本考案の実施形態に係る前方足接続装置１３と後方足接続装置２３の構成を詳しく説明する。図５は本考案の実施形態に係る前方足接続装置の分解斜視図である。図５に示すように、前方足接続装置１３は、第１固定部１３１と第２固定部１３７とを含む。
【００２５】
第１固定部１３１は、断面がＵ字型であり、対向する二つの側壁と二つの側壁を接続する底部とを含み、二つの側壁にはそれぞれ孔１４０が形成されている。第２固定部１３７は、断面がＵ字型であり、対向する二つの側壁と二つの側壁を接続する底部とを含む。この底部に取り付け孔１３８が設けられ、取り付け孔１３８により、例えば、ボルト等で、第２固定部１３７をソファー本体１５の底部に固定する。第２固定部１３７は、二つの側壁のそれぞれに貫通形状の孔１３９と二つの位置決め槽１４２、１４３が形成されている。
【００２６】
第１固定部１３１は第２固定部１３７の内部に設置される。第１固定部１３１は第２固定部１３７と比べて二つの側壁の間の距離がやや短く、緊密に第２固定部１３７の中にセットされる。
【００２７】
第１固定部１３１と第２固定部１３７は、孔１３９、１４０をボルト１３６が貫通することにより、相対的に回転できるように互いに接続される。ボルト１３６は、ナット１３４との結合で第２固定部１３７と第１固定部１３１を一体に組み立てる。
【００２８】
第１固定部１３１は、任意の方法、例えば、ボルトやリベット等で前方足１２と接続する。また、第１固定部１３１の二つの側壁に長孔１４１が形成されている。位置決めレバー１３２は、第１固定部１３１の長孔１４１を挿通し、長孔１４１内に移動できるように長孔１４１内に固定される。例えば、図５に示すように、位置決めレバー１３２の一端はフランジで、他端はピン栓である。ボルト１３６と位置決めレバー１３２とはスプリング１３５により接続される。
【００２９】
図５に示すように、第２固定部１３７の側壁のエッジ部は弧状であり、且つ二つの位置決め槽１４２、１４３が形成されている。位置決めレバー１３２は上記弧状エッジ部に沿って、二つの位置決め槽１４２、１４３の間で移動できる。位置決めレバー１３２は位置決め槽１４２に位置するときに、折畳足が第２ロック位置に位置する。
【００３０】
第１固定部１３１の長手方向軸に沿って、ボルト１３６から離れる方向に、前方足１２を開く時に、位置決めレバー１３２は、長孔１４１の内部においてボルト１３６に近接する一端側から離間する他端側へ移動する。このとき、位置決めレバー１３２はスプリング１３５に引っ張られ、位置決め槽１４２から移動される。さらに、第１固定部１３１と第２固定部１３７とは互いに回転して、位置決めレバー１３２は、第２固定部１３７の側壁に沿って移動され、位置決め槽１４３にセットされる。位置決めレバー１３２は位置決め槽１４３にセットされると、本実施形態の折畳足が第１ロック位置にセットされる。スプリング１３５の弾性力により、折畳足は安定的に第１と第２のロック位置にセットされる。
【００３１】
図６は本考案の実施形態に係る後方足接続装置の分解斜視図である。図６に示すように、後方足接続装置２３は、第１固定部２３１と第２固定部２３７とを含む。第１固定部２３１は、断面がＵ字型であり、対向する二つの側壁と二つの側壁を接続する底部とを含み、二つの側壁のそれぞれに孔２４０が形成されている。
第２固定部２３７は、断面がＵ字型であり、対向する二つの側壁と二つの側壁を接続する底部とを含む。この底部に取り付け孔２３８が設けられ、取り付け孔２３８により、例えば、ボルト等で、第２固定部２３７をソファー本体１５の底部に固定する。第２固定部２３７は、二つの側壁のそれぞれに孔２３９と二つの位置決め槽２４２、２４３が形成されている。
【００３２】
第１固定部２３１は第２固定部２３７の内部に設置される。第１固定部２３１は、第２固定部２３７と比べて二つの側壁の間の距離がやや短く、緊密に第２固定部２３７の中にセットされる。第１固定部２３１は、二つの側壁のそれぞれに孔２４０が形成されている。
【００３３】
第２固定部２３７と第１固定部２３１は、孔２３９、２４０をボルト２３６が貫通することにより、相対的に回転できるように互いに接続される。ボルト２３６は、ナット２３４との結合で第２固定部２３７と第１固定部２３１を一体に組み立てることができる。
【００３４】
第１固定部２３１は、任意の方法、例えば、ボルトやリベット等により後方足２４と接続する。また、第１固定部２３１の二つの側壁のそれぞれに長孔２４１が形成されている。位置決めレバー２３２は、第１固定部２３１の長孔２４１を挿通し、長孔２４１内に移動できるように長孔２４１内に固定される。例えば、図６に示すように、位置決めレバー２３２の一端はフランジで、他端はピン栓である。ボルト２３６と位置決めレバー２３２とはスプリング２３５により接続される。
【００３５】
図６に示すように、第２固定部２３７の側壁のエッジ部は弧状であり、且つ二つの位置決め槽２４２、２４３が形成されている。位置決めレバー２３２は上記弧状エッジ部に沿って、二つの位置決め槽２４２、２４３の間で移動できる。位置決めレバー２３２は位置決め槽２４２に位置するときに、折畳足が第２ロック位置に位置する。
【００３６】
第１固定部２３１の軸方向に沿ってボルト２３６から離れる方向に前方足を開く時に、位置決めレバー２３２は、長孔２４１の内部においてボルト２３６に近接する一端側から離間する他端側へ移動する。この時に、位置決めレバー２３２はスプリング２３５に引っ張られ、位置決め槽２４２から移動され、さらに、第１固定部２３１と第２固定部２３７とは互いに回転して、位置決めレバー２３２は、第２固定部２３７の側壁に沿って移動され、位置決め槽２４３にセットされる。位置決めレバー２３２は位置決め槽２４３にセットされると、本実施形態の折畳足が第１ロック位置にセットされる。スプリング２３５の弾性力により、折畳足は安定的に第１と第２のロック位置にセットされる。
【００３７】
図７（Ａ）と図７（Ｂ）は、それぞれ、本考案の実施形態に係る足接続装置の第１ロック位置に対応する状態の正面図と斜視図である。図７（Ａ）と図７（Ｂ）に示すように、第１ロック位置では、位置決めレバー１３２は、位置決め槽１４３に位置する。後方足２４は横から視認できる位置に位置する。また、後方足リンク２２は後方足２４の片側の面に設けられているため、図７（Ｂ）に示すように、第１ロック位置において、後方足リンク２２及び前方足１２は互いに当接しない位置に位置する。
【００３８】
図８（Ａ）と図８（Ｂ）はそれぞれ本考案の実施形態に係る足接続装置は第２ロック位置に対応する状態の正面図と斜視図である。前方足接続装置を例として説明する。図８（Ａ）の正面図に示すように、位置決めレバー１３２は、図７（Ａ）に示す位置決め槽１４３から位置決め槽１４２へ移動され、第１固定部１３１は第２固定部１３７との間に所定角度を形成する位置に位置する。図８（Ｂ）の斜視図に示すように、第２固定部１３７がソファー１００の底部に固定されるときに、第１固定部１３１に接続し固定された前方足１２は、ソファー１００の底部との間に所定角度をなす。更にスプリング１３５の弾性力により位置決めレバー１３２は位置決め槽１４２に固定される。
【００３９】
図９は本考案の実施形態に係る折畳足が第１ロック位置にセットされる場合の概略図である。図９において、ソファー本体１５はハッチンで示しており、第１ロック位置において、前方足部材１は後方足部材２と同じ平面に位置し、後方足リンク２２は後方足２４とソファー本体１５の底部の間に位置する。
【００４０】
以下、図１０（Ａ）〜図１０（Ｄ）を参照し、ソファー１００の動作を説明する。図１０に示すように、ソファー１００の前方足部材１と後方足部材２は第１ロック位置に位置し（折畳状態）、ソファーの底部に折り畳まれる。ソファー１００の高さを上げたい時に、図１０（Ｂ）に示すように、ソファー１００を寝かせて底部を露出させる。このとき、図１０（Ｂ）に示すように、前方足部材１と後方足部材２はソファー１００の底部に折り畳まれ、また、図７（Ａ）と図７（Ｂ）に示すように、位置決めレバー１３２は位置決め槽１４３に位置する。後方足リンク２２は後方足２４の他の側に取り付けられているため、図７（Ｂ）に示す第１ロック位置において、前方足１２と互いに干渉しない位置に位置する。
【００４１】
次に、１０（Ｂ）の矢印に示したように、前方足部材１を第２ロック位置まで開き（展開状態）、図１０（Ｃ）に示す状態に変化させる。続いて、図１０（Ｃ）の矢印に示すように、後方足部材２を第２ロック位置まで開き、図１０（Ｄ）に示す状態に変化させる。
【００４２】
この時、ソファー１００の前方足部材１と後方足部材２は第２ロック位置に位置し、図８（Ａ）と図８（Ｂ）に示すように、位置決めレバー１３２は、位置決め槽１４３から位置決め槽１４２へ移動され、第１固定部１３１は第２固定部１３７との間に所定角度をなす位置に移動する。
【００４３】
図８（Ｂ）の斜視図に示すように、第２固定部１３７はソファー１００の底部に固定されるとき、第１固定部１３１に接続・固定された前方足１２は、ソファー１００の底部との間に所定角度をなす。スプリング１３５は弾性力により位置決めレバー１３２を位置決め槽１４２に固定する。
【００４４】
本考案に係るソファー１００の折畳の工程は、上記の展開の工程と逆で、即ち、図１０（Ｄ）、図１０（Ｃ）、図１０（Ｂ）、図１０（Ａ）の順で行われる。なお、本考案の上記実施形態について、ソファー１００を例として説明したが、他の家具、例えば椅子、机、テーブルにも適用できる。
【００４５】
机とテーブルに本考案を適用するときに、前方足部材１と後方足部材２とを厳密に区別する必要がなく、前方足リンク１４と後方足リンク２２は長さが異なり、かつ、折り畳み状態において、長い足リンクは家具の底部に近い側に位置させればよい。
【００４６】
上記のように、本考案の実施形態に係る前方足接続装置１３と後方足接続装置２３は、ほぼ同じ構成を備えている。家具が机である場合に、両者は完全に同一であってもよい。家具がソファーである場合に、利便性の観点から、ユーザーの足にぶつからないように、好ましくは、前方足がソファーの底部からはみ出さないように構成するとよい。
【００４７】
一方、安全性の面から、ソファーの後方足はできるだけ長く延びる方が望ましい。故に、本考案の実施形態において、後方足は前方足より長いため、後方足部材２とソファーの底部との間の角度は、前方足部材１とソファーの底部との間の角度より小さく、ソファーの底部と床と比べて平行又は後者がやや低いようになる。そのために、必要に応じて適宜位置決め槽１４３の位置を設定すればよい。
【００４８】
また、前方足１２と後方足２４の端部に丸みを付けてもよい。これにより、足カバー１１、２１は、折畳状態でも展開状態でも、床に密着することができ、支え効果と滑り止め効果が向上する。
【００４９】
また、ソファーの利便性と安全性の観点から、好ましくは、後方足が前方足より長く、後方足リンクが前方足リンクより長く、即ち、後方足部材２の幅がより広い。これにより、ソファーの安定性が向上する。また、好ましくは、第２ロック位置において、前方足接続装置と後方足接続装置における位置決め槽の位置を異ならせることにより、前方足と家具の底部との間の角度は、後方足と家具の底部との間の角度より大きくなる。
【００５０】
上記実施形態において、二つの位置決め槽（ロック部）を形成することを例としたが、本考案は、二以上のロック部があってもよい。この時に、ユーザは、前方足部材１、後方足部材２を、それぞれ適切なロック部にセットすることにより、家具の高さを微調整することができる。即ち、本考案に係る家具は、一つの折畳状態と二以上の展開状態（家具の異なる高さに対応する）を有してもよい。
【００５１】
また、上記実施形態において、スプリングとロック部を利用して位置決めを実現したが、当業者は、第２固定部１３７と第１固定部１３１の相対位置を二以上の状態間で切り替えることができれば、本考案の請求範囲に記載される本考案の要旨の範囲内において、種々の変更・変形が可能である。
【図１】
0003198421.tif 000003
【図２】
0003198421.tif 000004
【図３】
0003198421.tif 000005
【図４】
0003198421.tif 000006
【図５】
0003198421.tif 000007
【図６】
0003198421.tif 000008
【図７】
0003198421.tif 000009
【図８】
0003198421.tif 000010
【図９】
0003198421.tif 000011
【図１０】
0003198421.tif 000012